(57)【特許請求の範囲】
【請求項１】
本容器に詰め替える内容物が収容される容器本体と、
前記容器本体の口部に装着される装着筒と、を備えた詰め替え容器であって、
前記装着筒は、前記本容器の注入口部内に挿入される注出筒部を有し、
前記注出筒部には、前記容器本体内に連通し、この詰め替え容器が前記本容器に装着されて詰め替え姿勢とされたときに、前記本容器の注入口部内に配置される注出口が形成され、
前記装着筒の前記注出筒部内における前記注出口の容器軸方向に沿う前記容器本体の内側には、容器軸回りに周回しながら容器軸方向に延びる螺旋状の内容物案内部が形成されていることを特徴とする詰め替え容器。
【請求項２】
請求項１に記載の詰め替え容器であって、
前記装着筒内には、前記注出口と前記容器本体内との連通を遮断するとともに容器軸方向に移動可能とされた栓体が設けられ、
前記栓体は、この詰め替え容器が前記本容器に装着されて詰め替え姿勢とされるときに、前記本容器の注入口部もしくは詰め替え容器に設けられた押し込み部により押し込まれて、前記注出口と前記容器本体内との連通の遮断を解除することを特徴とする詰め替え容器。
【請求項３】
請求項１又は２に記載の詰め替え容器であって、
前記注出筒部には、前記注出口を閉塞する蓋体が破断可能な弱化部を介して連結されていることを特徴とする詰め替え容器。
【発明の詳細な説明】
【技術分野】
【０００１】
本発明は、詰め替え容器に関するものである。
【背景技術】
【０００２】
従来、例えば下記特許文献１に記載されるような、本容器に詰め替える内容物が収容される容器本体と、容器本体の口部に装着される装着筒とを備えた詰め替え容器が知られている。
この詰め替え容器では、装着筒と本容器の注入口部とを螺着して、詰め替え容器が容器本体の口部を下方に向けた倒立姿勢とされることで、容器本体の内容物が本容器内に詰め替えられるようになっている。またこのとき、本容器内の空気は詰め替え容器の容器本体内に流入しており、つまり詰め替え容器の内容物と本容器内の空気とが置換されることで、内容物の詰め替えが行なわれている。
【先行技術文献】
【特許文献】
【０００３】
【特許文献１】特開２０００−１５９２４９号公報
【発明の概要】
【発明が解決しようとする課題】
【０００４】
しかしながら、上述した従来の詰め替え容器では、詰め替え容器の内容物と本容器内の空気との置換効率をより向上させることに改善の余地があった。
【０００５】
本発明は、このような事情に鑑みてなされたものであって、詰め替え容器の内容物と本容器内の空気との置換効率を向上でき、これにより詰め替え作業を短時間で行える詰め替え容器を提供することを目的としている。
【課題を解決するための手段】
【０００６】
前記課題を解決するために、本発明は以下の手段を提案している。
本発明は、本容器に詰め替える内容物が収容される容器本体と、前記容器本体の口部に装着される装着筒と、を備えた詰め替え容器であって、前記装着筒は、前記本容器の注入口部内に挿入される注出筒部を有し、前記注出筒部には、前記容器本体内に連通し、この詰め替え容器が前記本容器に装着されて詰め替え姿勢とされたときに、前記本容器の注入口部内に配置される注出口が形成され、前記装着筒の前記注出筒部内における前記注出口の容器軸方向に沿う前記容器本体の内側には、容器軸回りに周回しながら容器軸方向に延びる螺旋状の内容物案内部が形成されていることを特徴とする。
【０００７】
本発明に係る詰め替え容器から本容器に内容物を詰め替える際は、本容器の注入口部内に詰め替え容器の注出筒部を挿入するとともに、詰め替え容器と本容器とを組み合わせて、該詰め替え容器を詰め替え姿勢とする。この詰め替え姿勢において、詰め替え容器の注出筒部の注出口は、本容器の注入口部内に配置される。
詰め替え容器が、容器本体の口部を下方に向けた倒立姿勢とされることで、該容器本体の内容物は、装着筒内を通り注出筒部の注出口から本容器の注入口部内に流出されて、本容器内に詰め替えられる。
【０００８】
本発明によれば、装着筒内に螺旋状の内容物案内部が形成されているので、装着筒の内部を流れる内容物が、該内容物案内部に案内されつつ容器軸回りに周回されて、注出口から本容器の注入口部内に渦状に流出される。このように流出された内容物は、遠心力の作用により注入口部の周壁に沿うように流れる一方、該注入口部の径方向中央には、本容器内の空気を詰め替え容器に送出可能な空気流路が形成される。
【０００９】
すなわち、内容物を詰め替える際、詰め替え容器の内容物は、本容器の注入口部内の周壁近傍を流れて本容器内へと向かい、本容器内の空気は、該注入口部内の径方向中央の前記空気流路を通って詰め替え容器内へ向かうことになる。
これにより、本容器の注入口部内において内容物と空気とが互いに干渉し合うようなことが抑制されて、内容物と空気との置換効率（つまり詰め替え効率）が向上し、詰め替え作業を短時間で行うことができる。
【００１０】
また、本発明の詰め替え容器において、前記装着筒内には、前記注出口と前記容器本体内との連通を遮断するとともに容器軸方向に移動可能とされた栓体が設けられ、前記栓体は、この詰め替え容器が前記本容器に装着されて詰め替え姿勢とされるときに、前記本容器の注入口部もしくは詰め替え容器に設けられた押し込み部により押し込まれて、前記注出口と前記容器本体内との連通の遮断を解除することとしてもよい。
【００１１】
この場合、詰め替え容器を本容器に装着する前は、栓体によって注出口と容器本体内との連通が遮断されているので、この詰め替え容器を倒立姿勢としても、内容物の漏出が防止される。そして、詰め替え容器を本容器に装着して詰め替え姿勢とするときに、栓体が押し込まれて注出口と容器本体内との連通の遮断が解除されるので、前述のように置換効率が高められつつも、詰め替え作業中に内容物がこぼれ出るようなことを防止できる。
【００１２】
また、本発明の詰め替え容器において、前記注出筒部には、前記注出口を閉塞する蓋体が破断可能な弱化部を介して連結されていることとしてもよい。
【００１３】
この場合、詰め替え容器の内容物を本容器に詰め替える際、弱化部を破断して蓋体を注出筒部から取り外すことで、注出口が開放される。すなわち、詰め替え作業を行う前は、蓋体によって注出口が閉塞されているので、詰め替え容器の内容物の劣化や変質、他の物質の混入等を防止できる。
【発明の効果】
【００１４】
本発明に係る詰め替え容器によれば、詰め替え容器の内容物と本容器内の空気との置換効率を向上でき、これにより詰め替え作業を短時間で行える。
【図面の簡単な説明】
【００１５】
【図１】本発明の一実施形態に係る詰め替え容器の要部を示す縦断面図である。
【図２】図１の詰め替え容器の内容物案内部を容器軸方向に沿う容器本体の内側から見た図である。
【図３】図１の詰め替え容器から蓋体を取り外す手順を説明する図である。
【図４】図１の詰め替え容器と本容器とを組み合わせて、詰め替え容器から本容器に内容物を詰め替える手順を説明する図である。
【図５】図１の詰め替え容器の要部の変形例を示す縦断面図である。
【図６】図５の詰め替え容器の分解図である。
【図７】図５の詰め替え容器から内容物を詰め替える本容器の要部を示す縦断面図である。
【図８】図５の詰め替え容器と図７の本容器とを組み合わせて、詰め替え容器から本容器に内容物を詰め替える手順を説明する図である。
【図９】図１の詰め替え容器の要部の変形例を示す縦断面図である。
【図１０】図９の詰め替え容器の内容物案内部を容器軸方向に沿う容器本体の内側から見た図である。
【発明を実施するための形態】
【００１６】
以下、本発明の一実施形態に係る詰め替え容器１について、図面を参照して説明する。
図１に示されるように、本実施形態の詰め替え容器１は、内容物が収容される容器本体２を備えており、この容器本体２から、別体の本容器３０（図４参照）に内容物を詰め替えるものである。
詰め替え容器１は、前記容器本体２と、容器本体２の口部２ａに装着される装着筒３とを備えている。装着筒３は、本容器３０の注入口部３１内に挿入される注出筒部４を有しており、この注出筒部４には、容器本体２内に連通して内容物を注出する注出口５と、該注出口５を開放可能に閉塞する蓋体６とが形成されている。
尚、容器本体２、装着筒３及び蓋体６は、それぞれの中心軸線が共通軸上に配置されている。本実施形態ではこの共通軸を容器軸Ｏといい、容器軸Ｏ方向に沿う蓋体６側を上側（容器軸Ｏ方向に沿う容器本体２の外側）、容器本体２側を下側（容器軸Ｏ方向に沿う容器本体２の内側）という。また、容器軸Ｏに直交する方向を径方向といい、容器軸Ｏ回りに周回する方向を周方向という。
【００１７】
容器本体２は、有底筒状をなしており、該容器本体２の口部２ａは、この容器本体２における口部２ａ以外の部位より小径となっている。また、口部２ａにおける上端部は、該上端部以外の部位より外径が一段小さくされている。口部２ａの外周面における上端部と下端部との間の中間部には、雄ねじ部２ｂが形成されている。また、口部２ａの下端部には、径方向外側に向けて突出するとともに周方向に沿って延びる環状のフランジ２ｃが形成されている。
【００１８】
装着筒３は、容器本体２の口部２ａに外挿される有頂筒状の基筒７と、基筒７より小径とされ、該基筒７の天壁７ａから垂下されるとともに口部２ａに径方向の内側から嵌合するシール筒８と、基筒７の天壁７ａから上側へ向けて突出するとともに、その内部における上端部が注出口５とされた前記注出筒部４と、を備えている。
【００１９】
基筒７は、円環板状の天壁７ａと、天壁７ａの外周縁部から垂下される筒状の周壁７ｂと、を備えている。天壁７ａは、口部２ａの上端開口縁に上側から当接している。周壁７ｂの内周面には、口部２ａの雄ねじ部２ｂに螺合する雌ねじ部７ｃが形成されている。周壁７ｂの下端部は、口部２ａのフランジ２ｃに径方向外側から嵌合又は外挿されている。周壁７ｂの下端開口縁は、容器本体２の肩部２ｄに上側から当接又は接近配置されている。
【００２０】
図示の例では、シール筒８の下端部は、該下端部以外の部位より外径が一段小さくされている。
【００２１】
注出筒部４は、基筒７の天壁７ａの内周縁部から立ち上がる外筒９と、この外筒９とは別体とされて該外筒９及びシール筒８に径方向の内側から嵌合するとともに、その上端開口部の内部が注出口５とされた内筒１０と、を備えている。
【００２２】
図１に示される例では、外筒９の内径は、シール筒８の内径より小さくなっている。外筒９の上端部には、破断可能な弱化部１１を介して前記蓋体６が連結されており、これら蓋体６及び弱化部１１は、外筒９に一体に形成されている。
【００２３】
蓋体６は、円板板状をなしており、注出筒部４の注出口５を上側から覆うことで、薄肉環状の弱化部１１とともに該注出口５を閉塞している。蓋体６の外周縁部における周方向の一部には、該蓋体６を外筒９から取り外す際に操作するための操作片６ａが突設されている。
【００２４】
内筒１０は、基筒７の天壁７ａより上側に位置して外筒９内に嵌合する上側筒部１０ａと、基筒７の天壁７ａより下側に位置して上側筒部１０ａよりも大径とされ、シール筒８内に嵌合する下側筒部１０ｂと、上側筒部１０ａの下端部と下側筒部１０ｂの上端部とを繋ぐとともに、該上側筒部１０ａの下端部から下側に向かうに従い漸次拡径するテーパ筒部１０ｃと、を備えている。
【００２５】
上側筒部１０ａにおける後述する内容物案内部１２を除いた部位の内径（つまり注出口５の内径）は、例えばφ７〜１２ｍｍとなっている。また、上側筒部１０ａの上端開口縁は、蓋体６の下面に接近配置されている。
下側筒部１０ｂの下端部には、径方向外側に向かって突出するとともに周方向に沿って延びる環状のフランジ部１０ｄが形成されており、該フランジ部１０ｄは、シール筒８の下端開口縁に下側から当接している。
【００２６】
そして、内筒１０内における注出口５の下側には、容器軸Ｏ回りに周回しながら容器軸Ｏ方向に延びる螺旋状の内容物案内部１２が形成されている。
本実施形態では、内容物案内部１２は、内筒１０の径方向内側に向けて突出するとともに、該内筒１０の内周面上を周回しつつ容器軸Ｏ方向に向かって延びる螺旋鍔状をなしている。
【００２７】
内容物案内部１２の上端部１２ａは、内筒１０の上側筒部１０ａ内における上端開口部、つまり注出口５に位置しており、内容物案内部１２の下端部１２ｂは、内筒１０の下側筒部１０ｂ内に位置している。
【００２８】
また、内容物案内部１２における内周縁部の径方向位置は、上端部１２ａから下端部１２ｂにかけて一定とされているとともに、この内周縁部は、容器軸Ｏには達していない。具体的に、内容物案内部１２が内筒１０の上側筒部１０ａの内周面から径方向内側へ向けて突出する突出量は、本実施形態では、例えば１．５〜３ｍｍとなっている。
【００２９】
図１及び図２に示されるように、内容物案内部１２は、装着筒３の注出筒部４内に複数条設けられている。図示の例では、内容物案内部１２が、内筒１０内に容器軸Ｏに関して１８０°回転対称に２条設けられているとともに、各内容物案内部１２が容器軸Ｏ回りに周回する巻き角度も、それぞれ１８０°とされている。ここで、前記巻き角度とは、図２に示される内筒１０の平面視で、内容物案内部１２の上端部１２ａにおける周端、容器軸Ｏ、下端部１２ｂにおける周端との間に形成される角度である。
【００３０】
尚、内容物案内部１２の条数や巻き角度は本実施形態で説明したものに限定されないが、条数については１〜３条、巻き角度については９０°〜３６０°であることが好ましい。
【００３１】
次に、詰め替え容器１から本容器３０に内容物を詰め替える手順について、図３及び図４を参照して説明する。
図３に示されるように、まず、操作片６ａを把持し、外筒９から蓋体６を離間させるように操作して、弱化部１１を破断させるとともに、蓋体６を外筒９から取り外す。
【００３２】
蓋体６が取り外されて注出筒部４の注出口５が露出したら、図４に示されるように、本容器３０の注入口部３１内に詰め替え容器１の注出筒部４を挿入するとともに、詰め替え容器１と本容器３０とを組み合わせて、該詰め替え容器１を詰め替え姿勢とする。この詰め替え姿勢において、詰め替え容器１の基筒７の天壁７ａは、本容器３０の注入口部３１の開口端縁に当接されており、詰め替え容器１の注出筒部４の注出口５は、本容器３０の注入口部３１内に配置されている。
【００３３】
図４に示されるように、詰め替え容器１が、容器本体２の口部２ａを下方に向けた倒立姿勢とされることで、該容器本体２の内容物は、装着筒３の注出筒部４の内筒１０内を通り注出口５から本容器３０の注入口部３１内に流出されて、本容器３０内に詰め替えられる。
尚、図４において符号３２で示されるものは、本容器３０の注入口部３１に着脱可能に装着される吐出キャップであり、前述した詰め替え作業中において、この吐出キャップ３２は、ヒンジ３３回りに回動されて、注入口部３１から取り外されている。
【００３４】
以上説明した本実施形態の詰め替え容器１によれば、装着筒３内に螺旋状の内容物案内部１２が形成されているので、装着筒３の内部を流れる内容物が、該内容物案内部１２に案内されつつ容器軸Ｏ回りに周回されて、注出口５から本容器３０の注入口部３１内に渦状に流出される。このように流出された内容物は、図４に２点鎖線の矢印で示すように、遠心力の作用により注入口部３１の周壁に沿うように流れる一方、該注入口部３１の径方向中央には、本容器３０内の空気を詰め替え容器１に送出可能な空気流路Ａが形成される。
【００３５】
すなわち、内容物を詰め替える際、詰め替え容器１の内容物は、本容器３０の注入口部３１内の周壁近傍を流れて本容器３０内へと向かい、本容器３０内の空気は、該注入口部３１内の径方向中央の空気流路Ａを通って詰め替え容器１内へ向かうことになる。
これにより、本容器３０の注入口部３１内において内容物と空気とが互いに干渉し合うようなことが抑制されて、内容物と空気との置換効率（つまり詰め替え効率）が向上し、詰め替え作業を短時間で行うことができるのである。
【００３６】
また、内容物案内部１２の条数が１〜３条とされ、巻き角度が９０°〜３６０°とされた場合には、装着筒３内を流れる内容物を確実に渦状に周回させて前述の効果を得ることができ、かつ、詰め替え時間を短くすることができる。
【００３７】
すなわち、内容物案内部１２が１条以上であり、巻き角度が９０°以上であることで、該内容物案内部１２に沿って流れる内容物が確実に渦状となって本容器３０の注入口部３１内に流出され、前述した効果が顕著に得られる。
一方、内容物案内部１２の巻き角度が９０°未満である場合は、装着筒３内で内容物が十分に周回されずに本容器３０の注入口部３１内に流出して、空気流路Ａが形成されにくくなることがある。
【００３８】
また、内容物案内部１２が３条以下であり、巻き角度が３６０°以下であることで、内容物案内部１２に沿って流れる内容物の流路の断面積が確保されるとともに、内容物が内容物案内部１２から受ける抵抗を抑制でき、これにより装着筒３内における内容物の流量や流通速度が確保されて、詰め替えを短時間で行うことができる。
一方、内容物案内部１２が４条以上とされ、巻き角度が３６０°を超える場合は、装着筒３内を流れる内容物の流路の断面積が小さくなり、また内容物が内容物案内部１２から大きな抵抗を受けやすくなって、装着筒３内を内容物がスムーズに流れにくくなることがある。
【００３９】
また、本実施形態では、詰め替え容器１の内容物を本容器３０に詰め替える際、弱化部１１を破断して蓋体６を注出筒部４から取り外すことで、注出口５が開放されるようになっている。すなわち、詰め替え作業を行う前は、蓋体６によって注出口５が閉塞されているので、詰め替え容器１の内容物の劣化や変質、他の物質の混入等を防止できる。
【００４０】
尚、本発明は前述の実施の形態に限定されるものではなく、本発明の趣旨を逸脱しない範囲において種々の変更を加えることが可能である。
【００４１】
例えば、前述の実施形態では、内容物案内部１２の上端部１２ａが、注出筒部４内の上端開口部、つまり注出口５に位置しているが、内容物案内部１２の上端部１２ａは、装着筒３内において注出口５から下側に離間した位置に配置されていても構わない。具体的に、本発明の参考例では、図１において、内容物案内部１２は、例えば内筒１０内の下側筒部１０ｂ及びテーパ筒部１０ｃのみに形成されていてもよい。
【００４２】
また、これとは逆に本発明では、内容物案内部１２が、内筒１０内の上側筒部１０ａのみに形成されていても構わない。ただし、内容物案内部１２が、装着筒３内における容器本体２側に配置されることにより、詰め替え時に内容物を前述の渦状として流出させやすいことから、好ましい。
【００４３】
ここで、図５〜図１０に示されるものは、前述の実施形態で説明した詰め替え容器１の変形例である。尚、前述の実施形態と同一部材には同一の符号を付し、その説明を省略する。
図５〜図８に示される変形例では、注出筒部４には内筒１０が設けられておらず、注出口５は、外筒９内の上端開口部に形成されている。また、内容物案内部１２は、外筒９の内周面上に形成されている。また、注出筒部４の外筒９の上端部には、蓋体６及び弱化部１１が形成されておらず、該注出筒部４には、有頂筒状のオーバーキャップ１３が着脱可能に装着されて、注出口５を開放可能に閉塞している。
【００４４】
具体的に、図５において、外筒９の外周面の上端部には、雄ねじ部９ａが形成されている。
また、オーバーキャップ１３の天壁１３ａには、下側に向けて突出するとともに周方向に沿って延びる環状のシール突起１３ｃが形成されており、該シール突起１３ｃは、外筒９の上端開口縁に上側から当接している。また、オーバーキャップ１３の周壁１３ｂの内周面には、外筒９の雄ねじ部９ａに螺合する雌ねじ部１３ｄが形成されている。
【００４５】
また、シール筒８の内周面には、径方向内側に向けて突出するとともに周方向に沿って延びる環状突起８ａが形成されている。シール筒８の下端開口縁は、容器軸Ｏに垂直な面（例えば、基筒７の下端開口縁を含む仮想面など）に対して傾斜している。
【００４６】
装着筒３のシール筒８内及び外筒９内には、注出口５と容器本体２内との連通を遮断するとともに容器軸Ｏ方向に移動可能とされた栓体１４が設けられている。
栓体１４は、シール筒８に径方向内側から当接して容器軸Ｏ方向に摺動可能な摺動筒部１４ａと、該摺動筒部１４ａより小径とされた有頂筒状の被押し込み部１４ｂと、摺動筒部１４ａの内周面における容器軸Ｏ方向の中央部と被押し込み部１４ｂの下端開口部とを連結するフランジ部１４ｃと、を備えている。
【００４７】
摺動筒部１４ａの外周面における容器軸Ｏ方向の中央部には、径方向内側に窪むとともに周方向に沿って延びる環状溝１４ｄが形成されており、該環状溝１４ｄには、シール筒８の環状突起８ａが係合している。
被押し込み部１４ｂは、小径の上側部分１４ｅと、大径の下側部分１４ｆとを備えている。図５において、上側部分１４ｅは、外筒９内に配置されており、該上側部分１４ｅの上端部は、内容物案内部１２における上端部１２ａの径方向内側に位置している。また、下側部分１４ｆの上端部は、外筒９内に配置されているとともに、内容物案内部１２における下端部１２ｂの径方向内側に位置しており、該下側部分１４ｆの上端部以外の部位は、シール筒８内に配置されている。
【００４８】
図７に示されるように、本容器３０の注入口部３１には、詰め替え容器１を本容器３０に装着して詰め替え姿勢とするときに、栓体１４の被押し込み部１４ｂを容器本体２側へ向けて押し込む押し込み部３４が設けられている。図示の例では、押し込み部３４は、本容器３０の容器軸Ｃ上に延びるとともに断面が＋（プラス）形状とされた軸状をなしている。押し込み部３４の周囲には、容器軸Ｃ方向に貫通する貫通孔３５が複数形成されている。
【００４９】
この変形例で説明した詰め替え容器１から本容器３０に内容物を詰め替えるには、まず、図５に示されるオーバーキャップ１３を注出筒部４の外筒９から取り外す。
オーバーキャップ１３が取り外されて注出筒部４の注出口５が露出したら、図８に示されるように、正立姿勢（本容器３０の注入口部３１が上方を向いた状態）とされた本容器３０の注入口部３１内に、倒立姿勢とされた詰め替え容器１の注出筒部４を挿入するとともに、詰め替え容器１と本容器３０とを組み合わせて、該詰め替え容器１を詰め替え姿勢とする。
【００５０】
栓体１４は、この詰め替え容器１が本容器３０に装着されて詰め替え姿勢とされるときに、本容器３０の注入口部３１に設けられた押し込み部３４により押し込まれて、注出口５と容器本体２内との連通の遮断を解除する。
【００５１】
具体的に、図８において、詰め替え容器１の注出筒部４が、本容器３０の注入口部３１内に挿入されていくと、注入口部３１の押し込み部３４が、栓体１４の被押し込み部１４ｂにおける上側部分１４ｅの天壁に当接し、さらにこの注出筒部４が注入口部３１内に挿入されていくことで、栓体１４の環状溝１４ｄとシール筒８の環状突起８ａとの係合が解除されつつ摺動筒部１４ａはシール筒８内を下側（容器軸Ｏ方向に沿う容器本体２側であり、図８においては上側）へ向けて移動し、シール筒８内から離脱して、注出口５が容器本体２内に連通される。
【００５２】
このような詰め替え容器１と本容器３０との容器軸Ｏ（Ｃ）方向に沿う接近移動によって、図８に示されるように、装着筒３の基筒７の天壁７ａに本容器３０の注入口部３１の開口端縁が当接して、詰め替え容器１が詰め替え姿勢とされる。
尚、この詰め替え姿勢は、基筒７の天壁７ａと、注入口部３１の開口端縁とが当接せずに接近配置された状態であっても構わない。この場合も、詰め替え容器１の注出口５は、本容器３０の注入口部３１内に配置される。
【００５３】
詰め替え容器１の注出口５が容器本体２内に連通することで、該容器本体２の内容物は、装着筒３のシール筒８内及び外筒９内を通り注出口５から本容器３０の注入口部３１内に流出されて、本容器３０内に詰め替えられる。
【００５４】
図５〜図８により説明した変形例によれば、詰め替え容器１の注出口５から本容器３０の注入口部３１内に渦状に流出された内容物は、遠心力の作用により注入口部３１の周壁に沿うように流れる（図８に示される２点鎖線の矢印を参照）一方、注入口部３１の径方向中央に位置する押し込み部３４の周囲には、本容器３０内の空気を詰め替え容器１に送出可能な空気流路Ａが形成される。従って、この変形例においても、前述した実施形態と同様の効果を奏する。
【００５５】
また、この変形例によれば、詰め替え容器１を本容器３０に装着する前は、栓体１４によって注出口５と容器本体２内との連通が遮断されているので、この詰め替え容器１を倒立姿勢としても、内容物の漏出が防止される。そして、詰め替え容器１を本容器３０に装着して詰め替え姿勢とするときに、栓体１４が押し込まれて注出口５と容器本体２内との連通の遮断が解除されるので、前述のように置換効率が高められつつも、詰め替え作業中に内容物がこぼれ出るようなことを防止できる。
【００５６】
尚、この変形例では、押し込み部３４が本容器３０の注入口部３１内に設けられることとしたが、これに限定されるものではなく、該押し込み部３４は、詰め替え容器１に設けられていても構わない。この場合、押し込み部３４は、例えば装着筒３に配設されるとともに、詰め替え容器１が本容器３０に装着されて詰め替え姿勢とされるときに、外筒９に対して容器軸Ｏ方向に移動して栓体１４を押し込み、これにより注出口５と容器本体２内との連通の遮断が解除される。
【００５７】
また、この変形例で説明したオーバーキャップ１３は設けなくてもよい。
【００５８】
また、図９及び図１０に示される変形例では、注出筒部４の外筒９内における注出口５の下側に、前述した螺旋鍔状の内容物案内部１２の代わりに、容器軸Ｏ回りに周回しながら容器軸Ｏ方向に延びる螺旋溝状の内容物案内部１５が形成されている。内容物案内部１５は、外筒９の内周面から窪むとともに、この外筒９の内周面に沿って周回しつつ容器軸Ｏ方向に向かって延びている。
【００５９】
この変形例では、外筒９の内容物案内部１５を除いた部位の内径（つまり注出口５の内径）は、例えばφ１２ｍｍ以上（好ましくは、φ１２〜１５ｍｍ）である。また、内容物案内部１５の径方向の深さは、例えば０．６ｍｍである。
【００６０】
図９及び図１０により説明した変形例によれば、装着筒３内に螺旋状の内容物案内部１５が形成されているので、装着筒３の内部を流れる内容物が、該内容物案内部１５に案内されつつ容器軸Ｏ回りに周回されて、注出口５から本容器３０の注入口部３１内に渦状に流出される。このように流出された内容物は、遠心力の作用により注入口部３１の周壁に沿うように流れる一方、該注入口部３１の径方向中央には、本容器３０内の空気を詰め替え容器１に送出可能な空気流路Ａが形成される。従って、この変形例においても、前述した実施形態と同様の効果が得られる。
【００６１】
ここで、本発明において、内容物と空気との置換効率を高めて優れた詰め替え効率を得るには、前述の実施形態で説明した注出口５の内径がφ７〜１２ｍｍの場合は、螺旋鍔状の内容物案内部１２を用いることが好ましい。また、図９及び図１０の変形例で説明した注出口５の内径がφ１２ｍｍ以上である場合は、螺旋溝状の内容物案内部１５を用いることが好ましい。
【００６２】
また、装着筒３の基筒７を容器本体２の口部２ａに螺合することに代えて、アンダーカット嵌合（凹凸嵌合）など、その他の装着方法を採用してもよい。
【００６３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６４】
１  詰め替え容器
２  容器本体
２ａ  口部
３  装着筒
４  注出筒部
５  注出口
６  蓋体
１１  弱化部
１２、１５  内容物案内部
１４  栓体
３０  本容器
３１  注入口部
３４  押し込み部
Ｏ  容器軸
【図１】
0005948133.tif 000002
【図２】
0005948133.tif 000003
【図３】
0005948133.tif 000004
【図４】
0005948133.tif 000005
【図５】
0005948133.tif 000006
【図６】
0005948133.tif 000007
【図７】
0005948133.tif 000008
【図８】
0005948133.tif 000009
【図９】
0005948133.tif 000010
【図１０】
0005948133.tif 000011